(57)【要約】ボディ（22）と外周マスベルト（23）を持つパター型クラブヘッド（20）が開示される。パター型クラブヘッド(20)は好ましくはアルミニウム合金からなるボディ（22）を持つ。ボディ（22）は好ましくはフェース部分（24）、クラウン部分（26）、ソール部分（28）、コラム部分（30）を有している。フェース部分（24）、クラウン部分（26）、ソール部分（28）及び外周マスベルト（23）は中央孔(32)を画成している。クラウン部分（26)はフェース部分(24)から後方に延びている。中央開口(32）はクラウン部分(26)をソール部分(28)から分離し、フェース部分(24)を中央マス部分（80）から分離している。クラウン部分(26)は好ましくはその上にパッティングのときにゴルフボールのねらいを定める照準手段を持ち、その照準手段は好ましくは３つの円形インサート(40a-c)からなる。
2008517716.tif 000002
【特許請求の範囲】
【請求項１】
フェース部分と、クラウン部分と、ソール部分とコラム部分を持ち、前記クラウン部分は前記フェース部分から後方に延びて前記コラム部分を覆い、前記ソール部分はフェース部分から後方に延びているボディと；
前記ボディに固定され、中央マス部分と、前記中央マス部分から外方に延びるヒールアーク部材と前記中央マス部分から外方に延びるトオアーク部材を有する外周マスベルトとを有し；
前記フェース部分、前記クラウン部分、前記ソール部分及び前記外周マスベルトの中央マス部分はヒールエンド開口とトオエンド開口を持つボディを通る中央孔を画成し、前記中央開口は前記クラウン部分を前記ソール部分から分離し、前記フェース部分を前記中央マス部分から分離し；
前記ボディは前記フェース部分から前記外周マスベルトの最後端部までの距離Lが3.0インチ（7.62cm）〜6.0インチ(15.24cm)の範囲である、
パター型クラブヘッド。
【請求項２】
前記クラウン部分の外面に1.62インチ(4.11cm)〜1.70(4.32cm)インチの範囲の直径を持つ円形の複数の凹所と；
前記複数の凹所の対応する凹所に配置される複数の円形のインサートを有する請求項１に記載のパター型クラブヘッド。
【請求項３】
前記各複数の円形インサートは熱硬化性ポリウレタンから成り、白色とされた請求項１に記載のパター型クラブヘッド。
【請求項４】
フェースインサートが内部に配置される凹所を有するフェース部分と；
前記フェース部分から後方に延び、外面都内面を持つソール部分と；
前記フェース部分から後方に延び、中央細長セクションと前側セクションを有するクラウン部分であって、前記前側セクションは前記フェース部分のヒールエンドから前記フェース部分のトオエンドまでの幅が3.0インチ(7.62cm)〜6.0インチ(15.24cm)の範囲にあり、前記前側セクションは前記中央細長部分の幅より大きいクラウン部分と；
前記クラウン部分の外面に配置される照準手段と；
前記ボディに固定される外周マスベルトであって、中央マス部材と、前記中央マス部材から外方に延びるヒールアーク部材と前記中央マス部材から外方に延びるトオアーク部材とを有する外周マスベルトを有し；
前記フェース部分から前記外周マスベルトの最後端までの長さLが3.0インチ(7.62cm)〜6.0インチ(15.24cm)の範囲である、
パター型クラブヘッド。
【請求項５】
クラブヘッドの重心が前記ソール部分の外面から上方に0.25インチ(0.64cm)〜1.0インチ(2.54cm)の間にある請求項４に記載のパター型クラブヘッド。
【請求項６】
クラブヘッドの重心が前記フェース部分の外面から後方に1.50インチ(3.81cm)〜3.5インチ(8.89cm)の間にある請求項４に記載のパター型クラブヘッド。
【請求項７】
前記照準手段は円形インサートからなる請求項４に記載のパター型クラブヘッド。
【請求項８】
前記円形インサートは熱硬化性ポリウレタンから成る請求項７に記載のパター型クラブヘッド。
【請求項９】
３つの円形インサートが同じ直径を持つ請求項７に記載のパター型クラブヘッド。
【請求項１０】
フェース部分と、クラウン部分と、ソール部分とコラム部分を持ち、前記クラウン部分は前記フェース部分から後方に延びて前記コラム部分を覆い、前記ソール部分はフェース部分から後方に延びているボディと；
前記ボディに固定され、中央マス部分と、前記中央マス部分から外方に延びるヒールアーク部材と前記中央マス部分から外方に延びるトオアーク部材を有する外周マスベルトとを有するパター型クラブヘッドであって；
前記パター型クラブヘッドは、前記フェース部分から前記外周マスベルトの最後端部までの距離Lが3.0インチ(7.62cm)〜6.0インチ(15.24cm)の範囲である、
パター型クラブヘッド。
【請求項１１】
前記外周マスベルトは前記パター型クラブヘッドの体積の２０〜５０％の範囲の体積と前記ボディの４０〜６０％の重さを持つ請求項１０に記載のパター型クラブヘッド。
【請求項１２】
前記外周マスベルトはステンレススチールよりなる請求項１０に記載のパター型クラブヘッド。
【請求項１３】
フェース部分と、クラウン部分と、ソール部分とコラム部分を持ち、前記クラウン部分は前記フェース部分から後方に延びて前記コラム部分を覆い、前記ソール部分はフェース部分から後方に延び、前記クラウン部分は３つの円形インサートからなる照準手段をもつボディと；
前記ボディに固定され、中央マス部分と、前記中央マス部分から外方に延びるヒールアーク部材と前記中央マス部分から外方に延びるトオアーク部材を有する外周マスベルトとを有するパター型クラブヘッドであって；
前記外周マスベルトは100g〜180gの範囲の質量を持つ、
パター型クラブヘッド。
【請求項１４】
フェース部分と、クラウン部分と、ソール部分とコラム部分を持ち、前記クラウン部分は前記フェース部分から後方に延びて前記コラム部分を覆い、前記ソール部分は前記フェース部分から後方に延び、前記クラウン部分は３つの円形インサートからなる照準手段をもつボディと；
前記ボディに固定され、中央マス部分と、前記中央マス部分から外方に延びるヒールアーク部材と前記中央マス部分から外方に延びるトオアーク部材を有する外周マスベルトとを有するパター型クラブヘッドであって；
前記ヒールアーク部材と前記ボディはヒールスペースを形成し、前記トオアーク部材と前記ボディはトオスペースを形成する、
パター型クラブヘッド。
【請求項１５】
前記ボディは、アルミニウム、アルミニウム合金、マグネシウム、マグネシウム合金、チタニウム及びチタニウム合金からなる群より選ばれる材料からなる請求項１４に記載のパター型クラブヘッド。
【請求項１６】
前記ボディは0.9g/cm3 〜6.0g/cm3の範囲の密度を持つ材料からなる請求項１４に記載のパター型クラブヘッド。
【請求項１７】
前記外周マスベルトは7.0g/cm3 〜10.0g/cm3の範囲の密度を持つ材料からなる請求項１４に記載のパター型クラブヘッド。
【請求項１８】
2.0g/cm3 〜3.0g/cm3の範囲の密度を持つアルミニウム材料からなり、フェース部分と、クラウン部分と、ソール部分とコラム部分を持ち、前記クラウン部分は前記フェース部分から後方に延びて前記コラム部分を覆い、前記ソール部分はフェース部分から後方に延び、前記クラウン部分は３つの円形インサートからなる照準手段をもつボディと；
前記ボディに固定され、中央マス部分と、前記中央マス部分から外方に延びるヒールアーク部材と前記中央マス部分から外方に延びるトオアーク部材を有し、密度が6.0g/cm3 〜20.0g/cm3の範囲の材料からなる外周マスベルトとを有する、
パター型クラブヘッド。
【発明の詳細な説明】
【技術分野】
【０００１】
本発明は、パター型クラブヘッドに関する。より詳しくは、本発明は後方に重心を持つパタータイプクラブヘッドに関する。
【背景技術】
【０００２】
ゴルフ産業は高いハンデキャップを持つプレーヤーのためにゲームをより易しくすることのできるパターを発明してきた。そのようなものの一つにDavid Pelzの米国特許第4,688,798号（特許文献１）がある。このPelzの特許はゴルファーがパッティングのときにホールに向けてねらいを定めることを容易にする照準手段を持つパターを開示している。Pelz特許は照準手段として二つ又は三つのゴルフボールの形状をした指示器（インジケータ）を使用することを開示している。このゴルフボールの形状をした指示器は円形、半球体又は完全な球体とすることができる。Pelz特許は指示器を打撃の中心から後方に延びるラインに沿って配置することを開示している。照準手段を開示する他の特許はSzczepanskiの米国特許第4,659,083号（特許文献２）がある。このSzczepanskiの特許はパターのフェースに向けて収束するライン群を開示している。照準手段を開示する更なる他の特許はLilleyの英国特許第4,659,083号(特許文献３）がある。
【０００３】
更なる他の例はSchmidtの米国特許第5,470,068号「皿状底面を持つゴルフパター」（特許文献４）があり、これは単一の鋳造材料からなり、中空内部を持つパターを開示している。
【０００４】
他の例として1998年5月20日に出願された米国特許第6,086,484号「ゴルフパターヘッド」（特許文献５）があり、Ｕ字形のボディと中央にブロックを持つパターを開示している。このブロックはＵ字形ボディより低い比重を持つ。
【０００５】
更なる例としてRose他の1996年1月に出願された米国特許第5,951,412号「ゴルフクラブ、特にパター」（特許文献６）がある。このRoseの特許は軽量材料からなる中央部分とより重い材料からなるヒールとトオ部分を開示している。パターヘッドを形成するために金属は鍛造又は鋳造される。
【０００６】
他の例として、原出願が1984年に出願されたFernandezの米国特許第4,793,616号「ゴルフクラブ」（特許文献７）があり、これは、質量の分散のため、硬い高密度の材料に軽量の複合材料をモールドしたものを開示している。Fernandezはタングステン又は他の高密度材料からなる高密度インサートを持つ複合材料シェルを開示している。
【０００７】
これらの発明は高いハンデキャップを持つプレーヤーによりよりゴルフゲームを楽しくできる新しい改良されたパターを提供するものであるが、これらの先行技術はパターを、照準を定めることを助け許容性のあるものとすることにより最適にしたものではない。
【特許文献１】米国特許第4,688,798号
【特許文献２】米国特許第4,659,083号
【特許文献３】英国特許第4,659,083号
【特許文献４】米国特許第5,470,068号
【特許文献５】米国特許第6,086,484号
【特許文献６】米国特許第5,951,412号
【特許文献７】米国特許第4,793,616号
【発明の開示】
【課題を解決するための手段】
【０００８】
発明の概要
本発明の一つの態様は、ボディと外周マスベルトを持つパター型クラブヘッドである。ボディはフェース部分と、クラウン部分と、ソール部分と、コラム部分を持つ。クラウン部分はフェース部分から後方に延びてコラム部分を覆う。ソール部分はフェース部分から後方に延びる。外周マスベルトはボディに固定される。外周マスベルトは中央マス部分と、中央マス部分から外側に延びるヒールアーク部材と中央マス部材から外側に延びるトオアーク部材を有している。
【発明を実施するための最良の形態】
【０００９】
図１−６に示すように、本発明のパター型クラブヘッドは全体として20で示される。クラブヘッド20は好ましくはボディ22と外周マスベルト23を含む。好ましい実施例においてはボディ22は密度が0.90g/cm3〜6.0g/cm3の範囲の材料からなる。ボディ22の好ましい金属はアルミニウム合金である。これに代わるボディ22の材料はアルミニウム、チタン、チタン合金、マグネシウム、マグネシウム合金等が含まれる。ボディ22は、好ましくは、既知のインベストメント鋳造技術を使用して単一の鋳造構造として形成される。しかしながら、当業者であれば、切削加工、鍛造又は成形片の溶接等、他の形成技術が本発明の範囲と精神を離れることなく使用できることは理解できるであろう。
【００１０】
ボディ22は好ましくは100g〜300g、より好ましくは150g〜275g、更に好ましくは200g 〜250g、最も好ましくは210gである。
【００１１】
外周マスベルト23は好ましくはボディ22の材料の密度より大きい密度の材料から造られる。好ましい実施例においては、外周マスベルト23は6.0g/cm3〜20.0g/cm3 の範囲、より好ましくは7.0g/cm3〜10.0g/cm3 の範囲の密度を持つ。好ましい実施例においては、外周マスベルト23はステンレススチールからなっている。他の実施例では、外周マスベルト23は亜鉛、真鍮、銅、金、銀、タングステン、タングステン基材合金、鉄基材合金及び銅基材合金などから造られる。
【００１２】
外周マスベルト23は、好ましくは、80g〜300gの範囲、より好ましくは90g〜200g、更に好ましくは100g〜180g、更に好ましくは120g〜135g、最も好ましくは127gの重さを持つ。
【００１３】
クラブヘッド20は好ましくは250g〜500gの範囲の質量、より好ましくは300g〜400g、最も好ましくは340gの質量を持つ。
【００１４】
好ましい実施例においては、ボディ22はフェース部分24、クラウン部分26、ソール部分28及びコラム部分30を有している。フェース部分24、クラウン部分26、ソール部分28、コラム部分30及び外周マスベルト23はボディ22を通って延びる中央孔32を画成している。中央孔32はボディ22のヒールエンド27にヒール開口34を、またボディ22のトオエンドにトオ開口36を持つ。中央孔32はフェース部分24を外周マスベルト23から水平方向に分離し、中央孔32はクラウン部分26をソール部分から垂直方向に分離する。クラウン部分26の長さにより、ボディ22は好ましくは図４に示されるように、中央孔32内に内部コラム77を持つ。中央孔32は、外周マスベルト23との関連において、クラブヘッド20の重心、”CG”、をフェース部分24から後方に移動させる。
【００１５】
好ましい実施例においては、クラブヘッド20のCGは中央孔32の内部にあり、したがって、CGはクラブヘッド20の材料の中にあるのではなく、中央孔32内の空間内の材料の外側に存在する。好ましくはCGはソール部分28の外面71から0.25インチ〜1.0インチの間、好ましくは0.50インチ〜0.75インチの間に位置し、最も好ましくはソール部分28の外面71から0.73インチのところに位置する。クラブヘッド20のCGは、また、フェース部分24の外面58から後方に1.50インチ〜3.5インチの間の位置、より好ましくは2.0インチ〜3.0インチの間に位置し、最も好ましくはフェース部分24の外面58から2.85インチのところに位置する。
【００１６】
CGの位置を後方に位置させることを助けるため、外周マスベルト23がクラウン部分26の後方の支持構造体となっている。外周マスベルト23は好ましくはヘッド20の体積の２０〜５０％を占め、より好ましくはクラブヘッド20の４０〜７５％を占める。
【００１７】
ソール部分28は好ましくは略Ｔ字形をなしている。ソール部分28の外面71はクラブヘッド20が図示されていないシャフトとグリップと共にパターとして使用されるときは地面に接触する。クラブヘッド20のCGは好ましくはソール部分28より上に存在する。
【００１８】
クラウン部分26はフェース部分24より後方に延びている。クラウン部分26は中央の細長いセクション44とフロントセクション46を有している。フロントセクション46はフェース部分24のヒールエンド27からトオエンド25に向けて延びる幅W’を持ち、フロントセクション46が中央細長セクション44に移るに従い徐々に狭くなっている。幅W’は好ましくは3.0インチ〜6.0インチの範囲、より好ましくは4.5インチ〜5.5インチ、最も好ましくは5.22インチである。中央細長セクション44はフロントセクション46の幅W’より小さい幅W’’を持つ。幅W’’は、1.0インチ〜3.0インチの範囲、より好ましくは1.5インチ〜2.25インチ、最も好ましくは1.8インチである。クラウン部分26の内面48は中央孔32を部分的に画成している。クラウン部分は好ましくは0.10インチ〜0.50インチの範囲の厚さ持ち、より好ましくは0.15インチ〜0.30インチである。
【００１９】
クラウン部分26の外面38は好ましくはその上に照準手段40を持つ。外面38は、また、好ましくは図示しないシャフトを入れるための孔54を持つ。
【００２０】
好ましい照準手段40は、第１インサート40a、第２インサート40b、第３インサート40cであり、それぞれは、クラウン部分26の第１凹所41a、第２凹所41b、第３凹所41c内に配置される。各凹所41a-cの深さは、好ましくは、0.05インチ〜0.50インチの範囲であり、より好ましくは0.1インチ〜0.250インチの範囲である。各円形のインサート40a-cは好ましくは0.05インチ〜0.50インチの範囲の厚さを持ち、より好ましくは0.1インチ〜0.250インチの厚さを持つ。好ましい実施例においては、各円形インサート40a-cは好ましくは、ここにその全部が参照として組み入れられるCallaway Golf（本願出願人）に付与された米国特許第6,273,831号「ポリマーインサートを持つゴルフクラブヘッド」に記載されているような熱硬化性ポリウレタンからなる。これとは別に、各円形インサート40a-cは熱可塑性ポリウレタンから成るようにしてもよい。各円形インサート40a-cは好ましくは、塗装又は着色剤を伴うポリウレタンをドーピングすることにより白色とされ、各円形インサート40a-cは好ましくはゴルフボールカバーの模様を持つ。各円形インサート40a-cは、好ましくは、1.62インチ〜1.70インチの範囲、より好ましくは1.68インチの直径を持つ。
【００２１】
他の照準手段としては、ここに関連部分が参照として組み入れられるCallaway Golf（本出願人）に付与された米国特許第4,688,798号「照準用指示器を含むゴルフクラブ及びヘッド」がある。米国特許第4,688,798号に記載されるように、照準手段はゴルファがパッティングをするとき、ゴルフボールをホールに向けて適正にねらいを定めることを助ける手段である。大きい白いストリップを含む代替的照準手段を本発明に使用することができる。
【００２２】
フェース部分24は好ましくは0.10インチ〜0.50インチの範囲の厚さ、より好ましくは0.20インチ〜0.35インチの範囲の厚さを持つ。フェース部分24は部分的に中央孔32を画成する60を有する。好ましくは、フェース部分24の外面58はパッティングのためにゴルフボールを比較的低速で打つためにギザギザが施される。これとは別に、フェースの外面58には図示しないがフェース凹所が設けられ、ここにその全部が参照として組み入れられるCallaway Golf（本出願人）に付与された米国特許第6,238,302号「一体的タブを持つインサートを有するゴルフクラブヘッド」に開示されているようなフェースインサートが挿入される。米国特許第6,238,302に記載されるように、フェースインサートは好ましくは熱硬化性ポリウレタン材料で好ましくは白色である。
【００２３】
パター型クラブヘッド20は、好ましくは、フェース部分24から外周マスベルト23の最後端部までの長さLが3.0インチ〜6.0インチの範囲、より好ましくは4.5インチ〜5.5インチ、最も好ましくは5.07インチである。他の実施例においては、長さLが幅W’と等しくされている。
【００２４】
前述のように、中央孔はフェース部分24の内面60、クラウン部分26の内面48、ソール部分28の内面及び外周マスベルト23の内面62及びコラム部分30の内面によって画成されている。クラウン部分26の内面48からソール部分28の内面56までの距離は、好ましくは、0.01インチ〜1.50インチの範囲、より好ましくは0.25インチ〜1.0インチ、最も好ましくは0.5インチである。フェース部分24の内面60から外周マスベルト23の内面62までの距離は、好ましくは、1.0インチ〜3.50インチの範囲、より好ましくは1.5インチ〜3.0インチ、最も好ましくは2.00インチである。
【００２５】
外周マスベルト23は、好ましくは、中央マス部分80、ヒールアーク部材82、トオアーク部材84を有している。ヒールアーク部材82とトオアーク部材84は中央マス部材80から中央マス部材80の他端で外側に向けて延びる。中央マス部材80はコラム部分30をそこに置くための凹所86（図２Ａにおいて点線で示す）を有している。ヒールアーク部材82はフェース部分24の凹所95a（図２Ａに点線で示す）内に置くための突起90a（図２Ａに点線で示す）を有している。トオアーク部材84はフェース部分24の凹所95b（図２Ａに点線で示す）内に置くための突起90b（図２Ａに点線で示す）を有している。外周マスベルト23は好ましくはボディ22に接着剤により固定され、接着剤は好ましくは中央マス部分80と凹所95a-bに係合するコラム部分30の回りに付される。これに替えて、外周マスベルト23はボディ22に嵌め合わせによるか、或いは螺子により固定される。
【００２６】
パター型クラブヘッド20は好ましくは重心を通る軸Izzの回りの慣性モーメントが3750g-cm2 〜4200g-cm2の範囲、より好ましくは3950g-cm2〜4100g-cm2である。軸Izzはソールからクラウンに向けて延びる。
【００２７】
好ましい実施例においては、ヒールアーク部材82とボディ22はヒールスペース101を形成し、トオアーク部材84とボディ22はトオスペース103を形成する。ヒールスペース101とトオスペース103はクラブヘッド20の質量を重心から外側に広げ、クラブヘッド20に更なる質量を追加することなく慣性モーメントを増加することを可能とする。
【図面の簡単な説明】
【００２８】
【図１】パター型クラブヘッドの上方から見た斜視図である。
【図１Ａ】パター型クラブヘッドの上方から見た斜視図であり、クラウンの凹所を示している。
【図２】図１のパター型クラブヘッドの平面図である。
【図２Ａ】クラウン凹所を示すパター型クラブヘッドの平面図である。
【図３】図１のパター型クラブヘッドの正面図である。
【図４】図１のパター型クラブヘッドの側面図である。
【図４】図４のパター型クラブヘッドのボディの側面図で、外周マスベルトを除いた図である。
【図５】図１のパター型クラブヘッドの背面図である。
【図６】図１のパター型クラブヘッドの底面図である。
【図１】
2008517716.tif 000003
【図１Ａ】
2008517716.tif 000004
【図２】
2008517716.tif 000005
【図２Ａ】
2008517716.tif 000006
【図３】
2008517716.tif 000007
【図４】
2008517716.tif 000008
【図４Ａ】
2008517716.tif 000009
【図５】
2008517716.tif 000010
【図６】
2008517716.tif 000011
【手続補正書】
【提出日】平成19年5月11日(2007.5.11)
【手続補正１】
【補正対象書類名】特許請求の範囲
【補正対象項目名】全文
【補正方法】変更
【補正の内容】
【特許請求の範囲】
【請求項１】
フェース部分と、クラウン部分と、ソール部分とコラム部分を持ち、前記クラウン部分は前記フェース部分から後方に延びて前記コラム部分を覆い、前記ソール部分は前記フェース部分から後方に延びているボディと；
前記ボディに固定され、中央マス部分と、前記中央マス部分から外方に延びるヒールアーク部材と前記中央マス部分から外方に延びるトオアーク部材を有する外周マスベルトとを有し；
前記フェース部分、前記クラウン部分、前記ソール部分及び前記外周マスベルトの中央マス部分はヒールエンド開口とトオエンド開口を持つボディを通る中央孔を画成し、前記中央開口は前記クラウン部分を前記ソール部分から分離し、前記フェース部分を前記中央マス部分から分離し；
前記ボディは前記フェース部分から前記外周マスベルトの最後端部までの距離Lが3.0インチ（7.62cm）〜6.0インチ(15.24cm)の範囲である、
パター型クラブヘッド。
【請求項２】
前記クラウン部分の外面に1.62インチ(4.11cm)〜1.70(4.32cm)インチの範囲の直径を持つ円形の複数の凹所と；
前記複数の凹所の対応する凹所に配置される複数の円形のインサートを有する請求項１に記載のパター型クラブヘッド。
【請求項３】
前記各複数の円形インサートは熱硬化性ポリウレタンから成り、白色とされた請求項１に記載のパター型クラブヘッド。
【請求項４】
フェースインサートが内部に配置される凹所を有するフェース部分と；
前記フェース部分から後方に延び、外面都内面を持つソール部分と；
前記フェース部分から後方に延び、中央細長セクションと前側セクションを有するクラウン部分であって、前記前側セクションは前記フェース部分のヒールエンドから前記フェース部分のトオエンドまでの幅が3.0インチ(7.62cm)〜6.0インチ(15.24cm)の範囲にあり、前記前側セクションは前記中央細長部分の幅より大きいクラウン部分と；
前記クラウン部分の外面に配置される照準手段と；
前記ボディに固定される外周マスベルトであって、中央マス部材と、前記中央マス部材から外方に延びるヒールアーク部材と前記中央マス部材から外方に延びるトオアーク部材とを有する外周マスベルトを有し；
前記フェース部分から前記外周マスベルトの最後端までの長さLが3.0インチ(7.62cm)〜6.0インチ(15.24cm)の範囲である、
パター型クラブヘッド。
【請求項５】
クラブヘッドの重心が前記ソール部分の外面から上方に0.25インチ(0.64cm)〜1.0インチ(2.54cm)の間にある請求項４に記載のパター型クラブヘッド。
【請求項６】
クラブヘッドの重心が前記フェース部分の外面から後方に1.50インチ(3.81cm)〜3.5インチ(8.89cm)の間にある請求項４に記載のパター型クラブヘッド。
【請求項７】
前記照準手段は円形インサートからなる請求項４に記載のパター型クラブヘッド。
【請求項８】
前記円形インサートは熱硬化性ポリウレタンから成る請求項７に記載のパター型クラブヘッド。
【請求項９】
３つの円形インサートが同じ直径を持つ請求項７に記載のパター型クラブヘッド。
【請求項１０】
フェース部分と、クラウン部分と、ソール部分とコラム部分を持ち、前記クラウン部分は前記フェース部分から後方に延びて前記コラム部分を覆い、前記ソール部分は前記フェース部分から後方に延びているボディと；
前記ボディに固定され、中央マス部分と、前記中央マス部分から外方に延びるヒールアーク部材と前記中央マス部分から外方に延びるトオアーク部材を有する外周マスベルトとを有するパター型クラブヘッドであって；
前記パター型クラブヘッドは、前記フェース部分から前記外周マスベルトの最後端部までの距離Lが3.0インチ(7.62cm)〜6.0インチ(15.24cm)の範囲である、
パター型クラブヘッド。
【請求項１１】
前記外周マスベルトは前記パター型クラブヘッドの体積の２０〜５０％の範囲の体積と前記ボディの４０〜６０％の重さを持つ請求項１０に記載のパター型クラブヘッド。
【請求項１２】
前記外周マスベルトはステンレススチールよりなる請求項１０に記載のパター型クラブヘッド。
【請求項１３】
フェース部分と、クラウン部分と、ソール部分とコラム部分を持ち、前記クラウン部分は前記フェース部分から後方に延びて前記コラム部分を覆い、前記ソール部分は前記フェース部分から後方に延び、前記クラウン部分は３つの円形インサートからなる照準手段をもつボディと；
前記ボディに固定され、中央マス部分と、前記中央マス部分から外方に延びるヒールアーク部材と前記中央マス部分から外方に延びるトオアーク部材を有する外周マスベルトとを有するパター型クラブヘッドであって；
前記外周マスベルトは100g〜180gの範囲の質量を持つ、
パター型クラブヘッド。
【請求項１４】
フェース部分と、クラウン部分と、ソール部分とコラム部分を持ち、前記クラウン部分は前記フェース部分から後方に延びて前記コラム部分を覆い、前記ソール部分は前記フェース部分から後方に延び、前記クラウン部分は３つの円形インサートからなる照準手段をもつボディと；
前記ボディに固定され、中央マス部分と、前記中央マス部分から外方に延びるヒールアーク部材と前記中央マス部分から外方に延びるトオアーク部材を有する外周マスベルトとを有するパター型クラブヘッドであって；
前記ヒールアーク部材と前記ボディはヒールスペースを形成し、前記トオアーク部材と前記ボディはトオスペースを形成する、
パター型クラブヘッド。
【請求項１５】
前記ボディは、アルミニウム、アルミニウム合金、マグネシウム、マグネシウム合金、チタニウム及びチタニウム合金からなる群より選ばれる材料からなる請求項１４に記載のパター型クラブヘッド。
【請求項１６】
前記ボディは0.9g/cm3 〜6.0g/cm3の範囲の密度を持つ材料からなる請求項１４に記載のパター型クラブヘッド。
【請求項１７】
前記外周マスベルトは7.0g/cm3 〜10.0g/cm3の範囲の密度を持つ材料からなる請求項１４に記載のパター型クラブヘッド。
【請求項１８】
2.0g/cm3 〜3.0g/cm3の範囲の密度を持つアルミニウム材料からなり、フェース部分と、クラウン部分と、ソール部分とコラム部分を持ち、前記クラウン部分は前記フェース部分から後方に延びて前記コラム部分を覆い、前記ソール部分は前記フェース部分から後方に延び、前記クラウン部分は３つの円形インサートからなる照準手段をもつボディと；
前記ボディに固定され、中央マス部分と、前記中央マス部分から外方に延びるヒールアーク部材と前記中央マス部分から外方に延びるトオアーク部材を有し、密度が6.0g/cm3 〜20.0g/cm3の範囲の材料からなる外周マスベルトとを有する、
パター型クラブヘッド。
【手続補正２】
【補正対象書類名】明細書
【補正対象項目名】図面の簡単な説明
【補正方法】変更
【補正の内容】
【図面の簡単な説明】
【図１】    パター型クラブヘッドの上方から見た斜視図である。
【図１Ａ】  パター型クラブヘッドの上方から見た斜視図であり、クラウンの凹所を示している。
【図２】    図１のパター型クラブヘッドの平面図である。
【図２Ａ】  クラウン凹所を示すパター型クラブヘッドの平面図である。
【図３】    図１のパター型クラブヘッドの正面図である。
【図４】    図１のパター型クラブヘッドの側面図である。
【図４Ａ】  図４のパター型クラブヘッドのボディの側面図で、外周マスベルトを除いた図である。
【図５】    図１のパター型クラブヘッドの背面図である。
【図６】    図１のパター型クラブヘッドの底面図である。
【国際調査報告】
2008517716.tif 000012